(57)【要約】【課題】ＰＣＵなどの第１補機と電動コンプレッサなどの第２補機との間隔が、車両の前方からの衝撃荷重などによって大きくなるような場合に、高電圧ハーネスを損傷から保護する。【解決手段】エンジンルーム内に配置された第１補機３及び第２補機４と、第１補機３と第２補機４とを電気的に接続する高電圧ハーネス５とを備えた車両の高電圧ハーネス５の保護構造である。高電圧ハーネス５の経路途中には経路規制用の経路規制部材２０が設けられる。経路規制部材２０は、第１補機３と第２補機４との間隔が大きくなって、高電圧ハーネス５に、それ以上の大きさでは損傷が生じるような張力が加わったときに、その張力を低減するために経路規制の少なくとも一部を解除する。【選択図】図３
2014076744.tif 000002
【特許請求の範囲】
【請求項１】
エンジンルーム内に配置された第１補機及び第２補機と、
前記第１補機と第２補機とを電気的に接続する高電圧ハーネスと、を備えた高電圧ハーネスの保護構造であって、
前記高電圧ハーネスの経路途中には、該高電圧ハーネスの経路規制を行う経路規制部材が設けられ、
該経路規制部材は、前記第１補機と第２補機との間隔が大きくなって前記高電圧ハーネスに所定値以上の張力が加わったときに、その張力を低減するために経路規制の少なくとも一部を解除するように構成されていることを特徴とする、高電圧ハーネスの保護構造。
【請求項２】
前記第１補機及び第２補機は、車両前方からの衝撃荷重により前記第１補機が第２補機よりも相対的に車両後方へ変位するように支持されていると共に、
前記第１補機の接続部は第２補機の接続部より後方に設けられていることを特徴とする、請求項１に記載の高電圧ハーネスの保護構造。
【請求項３】
前記経路規制部材は、本体部と該本体部に係合された蓋部とを有すると共に、
前記高電圧ハーネスに前記所定値以上の張力が加わったときに本体部と蓋部との係合が解除されることにより、前記高電圧ハーネスの経路規制の少なくとも一部を解除するように構成されていることを特徴とする、請求項１又は２に記載の高電圧ハーネスの保護構造。
【請求項４】
前記第１補機の接続部は、第２補機の接続部より後方且つ上方に設けられ、
前記蓋部は、車両後方側へ傾斜していることを特徴とする、請求項３に記載の高電圧ハーネスの保護構造。
【請求項５】
前記高電圧ハーネスは、前記第１補機の接続部から車両後方又は車幅方向の少なくとも一方に取り回されて前記第２補機に接続されていることを特徴とする、請求項１〜４のいずれか１項に記載の高電圧ハーネスの保護構造。
【請求項６】
前記第１補機は、パワーコントロールユニットであり、
前記第２補機は、エンジンの前壁に取り付けられた電動コンプレッサであることを特徴とする、請求項１〜５のいずれか１項に記載の高電圧ハーネスの保護構造。
【発明の詳細な説明】
【技術分野】
【０００１】
この発明は、車両のエンジンルームに配設される高電圧ハーネスを保護するための構造に関する。
【背景技術】
【０００２】
一般に、ハイブリッドシステムを有する車両には、エンジン、バッテリ、モータ及びジェネレータに加えて、モータ、ジェネレータ、カーエアコン用の電動コンプレッサなどを駆動させるためにバッテリの入出力を制御するＰＣＵ（パワーコントロールユニット）が備えられている。そして、ＰＣＵと電動コンプレッサなどとが、例えば２００Ｖ以上の電力伝送に用いられる高電圧ハーネスにより電気的に接続されるようになっている。
【０００３】
このような車両においては、エンジンルーム（エンジンコンパートメント）のレイアウト上、例えば、電動コンプレッサはエンジンの前壁面に取り付けられ、ＰＣＵは高電圧ハーネスを介して電動コンプレッサに接続され、高電圧ハーネスはエンジンの振れを吸収する余長を持つように配設されている。
【０００４】
このとき、車両に前方からの衝撃荷重が加わった際に、ＰＣＵや電動コンプレッサなどの補機が車両後方へ変位し、これにより補機や他の部材の間に挟まれた高電圧ハーネスが損傷することがある。これを防止するために、高電圧ハーネスの経路途中にプロテクタ（経路規制部材）を設けて高電圧ハーネスの位置決め（経路規制）を行うことがある。
【０００５】
例えば、特許文献１には、前突時にハーネスの破損を避ける目的で、ハーネス経路を迂回させ、プロテクタでハーネスを覆う構造が開示されている。また、例えば特許文献２には、エアコン配管をハーネス接続部よりも前方側に配置することで、ハーネス接続部の損傷を防止する構造が開示されている。
【先行技術文献】
【特許文献】
【０００６】
【特許文献１】特開第２００７−１３５３０３号公報
【特許文献２】特開第２００８−２３４３号公報
【発明の概要】
【発明が解決しようとする課題】
【０００７】
ところで、車両に前方からの衝撃荷重が加わったときにＰＣＵを保護する目的で、ＰＣＵが後方へ変位しやすい支持構造とすることがある。そして、電動コンプレッサがエンジンに取り付けられると、エンジンよりも軽量のＰＣＵが電動コンプレッサよりも相対的に後方へ変位する。このとき、ＰＣＵが電動コンプレッサよりも車両後方側へ配置されていると、これらを接続する高電圧ハーネスに張力が加わり、特にプロテクタからの出口部分では高電圧ハーネスに大きい応力が加わり、高電圧ハーネスに損傷が生じるおそれがあった。
【０００８】
そこで、本発明は、ＰＣＵなどの第１補機と、電動コンプレッサなどの第２補機とが備えられると共に、これらを電気的に接続する高電圧ハーネスの経路途中に経路規制部材が設けられた構造において、車両に前方からの衝撃荷重などが加わって第１補機と第２補機との間隔が大きくなるような場合に、高電圧ハーネスを損傷から保護することを課題とする。
【課題を解決するための手段】
【０００９】
この課題を解決するため、本発明に係る高電圧ハーネスの保護構造は、次のように構成したことを特徴とする。
【００１０】
まず、本願の請求項１に記載の発明は、エンジンルーム内に配置された第１補機及び第２補機と、前記第１補機と第２補機とを電気的に接続する高電圧ハーネスと、を備えた高電圧ハーネスの保護構造であって、前記高電圧ハーネスの経路途中には、該高電圧ハーネスの経路規制を行う経路規制部材が設けられ、該経路規制部材は、前記第１補機と第２補機との間隔が大きくなって前記高電圧ハーネスに所定値以上の張力が加わったときに、その張力を低減するために経路規制の少なくとも一部を解除するように構成されていることを特徴とする。
【００１１】
ここで、前記張力の所定値は、その値以下の張力が加わっても高電圧ハーネスに損傷が生じるおそれがないような値である。
【００１２】
また、請求項２に記載の発明は、請求項１に記載の発明において、前記第１補機及び第２補機は、車両前方からの衝撃荷重により前記第１補機が第２補機よりも相対的に車両後方へ変位するように支持されていると共に、前記第１補機の接続部は第２補機の接続部より後方に設けられていることを特徴とする。
【００１３】
また、請求項３に記載の発明は、請求項１又は２に記載の発明において、前記経路規制部材は、本体部と該本体部に係合された蓋部とを有すると共に、前記高電圧ハーネスに前記所定値以上の張力が加わったときに本体部と蓋部との係合が解除されることにより、前記高電圧ハーネスの経路規制の少なくとも一部を解除するように構成されていることを特徴とする。
【００１４】
また、請求項４に記載の発明は、請求項３に記載の発明において、前記第１補機の接続部は、第２補機の接続部より後方且つ上方に設けられ、前記蓋部は、車両後方側へ傾斜していることを特徴とする。
【００１５】
また、請求項５に記載の発明は、請求項１〜４のいずれか１項に記載の発明において、前記高電圧ハーネスは、前記第１補機の接続部から車両後方又は車幅方向の少なくとも一方に取り回されて前記第２補機に接続されていることを特徴とする。
【００１６】
また、請求項６に記載の発明は、請求項１〜５のいずれか１項に記載の発明において、前記第１補機は、パワーコントロールユニットであり、前記第２補機は、エンジンの前壁面に取り付けられた電動コンプレッサであることを特徴とする。
【発明の効果】
【００１７】
以上の構成により、前記各請求項の発明によれば、それぞれ次の効果が得られる。
【００１８】
まず、請求項１に記載の発明によれば、前方からの衝撃荷重などにより高電圧ハーネスに所定値以上の張力が加わったときには経路規制部材による経路規制が一部解除され、高電圧ハーネスに余長が生じる。その結果、高電圧ハーネスに加わる張力を緩和することができ、更には経路規制部材から高電圧ハーネスに前記所定値以上の張力に応じた応力が加わる場合にも、その応力を緩和することができ、これにより高電圧ハーネスを損傷から保護することができる。さらに、高電圧ハーネスの経路規制の一部のみが解除される場合には、高電圧ハーネスが補機や他の部材の間に挟まれることによる損傷からも保護することができる。
【００１９】
また、請求項２に記載の発明によれば、車両前方からの衝撃荷重を受けたときには第１補機と第２補機との間隔が大きくなり、このときに請求項１と同様の効果が得られる。
【００２０】
また、請求項３に記載の発明によれば、高電圧ハーネスに所定値以上の張力が加わったときに本体部と蓋部との係合が解除されることにより、請求項１又は２と同様の効果が得られる。
【００２１】
また、請求項４に記載の発明によれば、第１補機の接続部が第２補機の接続部より後方且つ上方に設けられ、経路規制部材の蓋部が高電圧ハーネスに車両後方側へ傾斜していることにより、蓋部と本体部との係合が解除されたときに高電圧ハーネスの移動が妨害されることがない。
【００２２】
また、請求項５に記載の発明によれば、経路規制の一部解除により生じる余長に加え、高電圧ハーネスが取り回されることにより余長が生じ、これにより、高電圧ハーネスを損傷から保護する効果を高めることができる。
【００２３】
また、請求項６に記載の発明によれば、第１補機がパワーコントロールユニットであり、第２補機がエンジンの前壁面に取り付けられた電動コンプレッサである場合に、請求項１〜５のいずれか１項と同様の効果が得られる。
【図面の簡単な説明】
【００２４】
【図１】ハイブリッドシステムを有する車両の平面構造を示す概略図である。
【図２】本発明の実施の形態に係るハーネス保護構造を含むハーネス配設構造を示す平面図である。
【図３】本発明の実施の形態に係るハーネス保護構造を含むハーネス配設構造を車両後方から見た図である。
【図４】プロテクタの構造を示す斜視図である。
【図５】プロテクタの蓋部と本体部との係合を示す説明図である。
【図６】プロテクタの構造及び高電圧ハーネスが通過する経路を示す平面図である。
【図７】プロテクタとガイド部材との接続を示す説明図である。
【図８】車両に前方から衝撃荷重が加わった場合のプロテクタの作用を示す説明図であり、図８（ａ）〜（ｃ）は、時間の経過に伴うエンジンなどの配置の変化を示す。
【図９】車両に前方から衝撃荷重が加わった場合のプロテクタの動作を示す説明図である。
【発明を実施するための形態】
【００２５】
以下、本発明の実施の形態に係る高電圧ハーネスの保護構造について添付図面を参照しながら説明する。なお、以下の説明では、「前」「後」「左」「右」などの方向を示す用語は、車両の進行方向を「前」とした場合の方向を指すものとする。
【００２６】
まず、図１を参照し、ハイブリッドシステムを有する車両におけるエンジンなどの配置を説明する。
図１に示すように、ハイブリッドシステムを有する車両１００の前側にはエンジンルーム３０が設けられており、ダッシュパネル３１によって客室４０と仕切られている。また、エンジンルーム３０には、トランスアクスル１と、エンジン２と、ＰＣＵ３（第１補機）と、カーエアコン用の電動コンプレッサ４（第２補機）と、などが備えられている。エンジン２は、ガソリンエンジンでもディーゼルエンジンでもよい。また、ＰＣＵ３は、電力ケーブル３２によってリアスペース５０のバッテリ５１に接続されている。このように本実施形態では、空間的に余裕があるリアスペース５０にバッテリ５１が配置されており、これにより大容量のバッテリを配置することができる。
【００２７】
次に、図２及び図３を参照し、ハーネス保護構造を含むハーネス配設構造について説明する。
トランスアクスル１は、変速機及び差動装置（共に図示せず）に加えて、走行用駆動源としてのモータ（図示せず）、及び、エンジン２の動力により発電を行うジェネレータ（図示せず）などで構成される。このトランスアクスル１は、エンジン２と一体となって配置されている。このように、トランスアクスル１とエンジン２とが一体となった構成は、一般にパワーユニットと呼ばれる。
【００２８】
この車両１００は、エンジン２又はトランスアクスル１のモータの少なくとも一方の動力が変速機及び差動装置を介して駆動輪（図示せず）に伝達されて走行する。例えば、車両１００の発進時には、バッテリ５１から供給される電力によるモータ走行を行い、通常走行時には、主にエンジン２の動力を走行用駆動源とした走行を行うことができる。このとき、エンジン２の動力をジェネレータでの発電に利用し、生じた電力でモータを駆動させ、補助的に走行用の駆動源としてモータを利用することができる。また、減速時にはモータを回生ブレーキとして利用し、モータにて生じた電力をバッテリ５１の充電に用いることができる。
【００２９】
ＰＣＵ３は、昇圧コンバータやインバータ（共に図示せず）などで構成され、後面側にモータとの接続口３ｂ、ジェネレータとの接続口３ｃ及びバッテリ５１との接続口３ｄが設けられている。ＰＣＵ３は、ブラケット１０上に設けられており、そのブラケット１０を介して車両構造部９、例えばフロントサイドフレームに取り付けられている。
【００３０】
ＰＣＵ３は、その保護のため、前突などにより前方からの衝撃荷重が車両１００に加わったときに後方へ変位しやすいようにブラケット１０によって支持されている。ここで、ＰＣＵ３は、トランスアクスル１とエンジン２とからなるパワーユニットよりも充分に軽量である。それゆえ、前方からの衝撃荷重により、ＰＣＵ３は、エンジン２に固定された電動コンプレッサ４よりも相対的に後方へ変位する。また、ＰＣＵ３の接続部３ａは、電動コンプレッサ４の接続部４ａよりも後方且つ上方に設けられている。
【００３１】
高電圧ハーネス（以下、本明細書にて単にハーネスということがある）５は、ＰＣＵ３の接続部３ａから車両後方及び車幅方向に取り回されて電動コンプレッサ４に接続されている。ハーネス５の経路途中には、ハーネス５の保護及び経路規制を行うプロテクタ２０（経路規制部材）、及び、同じく経路規制用のクリップ（図示せず）が設けられており、ハーネス５は、部分的に経路規制されながら所定の経路を通るように配設されている。
【００３２】
具体的には、ハーネス５は、ＰＣＵ３の接続部３ａからトランスアクスル１の上面部に向かって後方且つ下方へ車幅方向外側に迂回しながら延びた後、トランスアクスル１の上を、その前端部に至るまで前方へ延び、さらに車幅方向内側へ延びながらエンジン２の前面に回りこんで電動コンプレッサ４に接続されている。このようにハーネス５は、少なくともエンジン２の振れを吸収するための余長を持つように配設されている。
【００３３】
なお、図示しないが、トランスアクスル１の上面部は多数の凹凸を有し、概略的には中央部から前方及び後方に向かってそれぞれ徐々に低くなるような形状となっている。プロテクタ２０は、その下側に設けられた板状のガイド部材６を介してトランスアクスル１の上面部に固定されている。
【００３４】
このガイド部材６は、トランスアクスル１のモータとＰＣＵ３とを接続するハーネス７を前方からの衝撃荷重などから保護するための部材である。このハーネス７は、下側のコネクタ７ａの位置ではカバー８によって保護されている一方、上側では保護されていないため、前方からの衝撃荷重により、後方部材との間に挟まれて損傷するおそれがある。そこで、ガイド部材６にはハーネス７を保持するためのクリップ部６ａが設けられ、前方からの衝撃荷重などを受けると、クリップ部６ａが変形して周囲の空間的に余裕がある領域にハーネス７を誘導するようになっている。クリップ部６ａは、例えばＣ字状に形成されており、ハーネス７の長さ方向以外のあらゆる方向への移動を規制するようになっている。
【００３５】
なお、図２，図３に示すように、プロテクタ２０は、その長手方向が車幅方向（左右方向）に沿うように設けられているが、これに限定されることなく、例えば長手方向が車両の前後方向に沿うように設けられてもよい。プロテクタ２０を設ける方向は、ハーネス５をエンジンルーム内で取り回すことができる方向によって決定することも可能である。
【００３６】
次に、図４から図７を参照し、プロテクタの構造を説明する。なお、図５は図４の係合部の拡大図である。
プロテクタ２０は、蓋２１と本体（特許請求の範囲の本体部）２２とで構成され、例えば樹脂により作成することができる。蓋２１は、略矩形板状の開閉可能な蓋部２１ａと、本体２２に固定された固定部２１ｂとで構成される。蓋部２１ａは、長手方向でハーネスの出口部分から中央の方向に向かって少し盛り上がった形状を有しており、ハーネス５から力を受けて開きやすいようになっている。本体２２は、図４に示すように、ハーネス５の経路となる箱状部２２ａと、リブ２２ｃにより支持され、後述するようにトランスアクスル１の上面に接続される板状部２２ｂとで構成される。また、プロテクタ２２は、蓋２１の固定部側で上側から見て曲線状に形成されており、図６に鎖線で示すように、ハーネス５もプロテクタ内の曲線状に延びた経路を通過する。
【００３７】
蓋部２１ａは、複数の係合部２３にて本体２２と係合している。具体的には、係合部２３は蓋部側の係合凸部２３ａと本体側の係合凹部２３ｂとで構成される。また、図５に示すように、係合凸部２３ａの先端に突起部２３ｃが設けられることにより、係合凸部２３ａと係合凹部２３ｂとがかみ合うようになっている。なお、固定部２１ｂと本体２２との間にも係合部を設けてもよい。
【００３８】
ここで、車両１００が前方から衝撃荷重を受けるなどにより、ＰＣＵ３と電動コンプレッサ４との間隔が大きくなり、最初に設けていた余長分の長さ以上にハーネス５が伸びたときには、ハーネス５に張力が加わる。プロテクタ２０は、ＰＣＵ３と電動コンプレッサ４との間隔が大きくなってハーネス５に所定値以上の張力が加わったときには、その張力を低減するために経路規制を一部解除するように構成されている。
【００３９】
具体的には、車両１００が前方から衝撃荷重を受けると、ハーネス５は図４中の矢印Ａの方向へ移動する（伸長する）。ハーネス５の移動量が大きく、ハーネス５に所定値以上の張力が加わると、蓋部２１ａはハーネス５の出口部分でその張力に応じた力をハーネス５から受ける。このとき、係合凸部２３ａの先端の突起部２３ｃは、内側へ引っ込むように構成されている。これにより、係合凸部２３ａが上方へ移動して、係合部２３での係合が解除されると共に、蓋部２１ａが開くようになっている。またこのとき、プロテクタ２０は、ハーネス５から同図中の矢印Ｂに示したプロテクタ２０の後方且つ上方へ力を受けるところ、蓋部２１ａは、ハーネス５の移動を妨害しないように車両後方側へ傾斜している。
【００４０】
ここで、前記張力の所定値は、その値以下の張力が加わってもハーネス５に損傷が生じるおそれがない値であり、その値より大きい張力が加わったときにはハーネス５に損傷が生じる可能性がある値である。
【００４１】
また、蓋２１の蓋部２１ａと固定部２１ｂとの境界部分では、蓋部２１ａが充分に薄く形成されている。そして、蓋部２１ａと本体２２との係合が解除され、これにより蓋部２１ａがハーネス５から力を受けて開くときには、蓋部２１ａがその境界部分で折れるように構成されている。
【００４２】
なお、蓋部２１ａと固定部２１ｂとを別部材とし、その境界部分に例えばヒンジ部材を設けることにより蓋部２１ａが開くようにしてもよい。また、本実施形態ではプロテクタ２０の長手方向に蓋部２１ａが開くが、長手方向と交差する方向に、例えばプロテクタ２０の車両後方側を支点として前後方向に蓋部２１ａが開くようにしてもよい。
【００４３】
プロテクタ２０の本体２２は、上側から見て略楕円状に形成された接続孔２２ｄ及び区形状に形成された接続突起２２ｅを有する。図７に示すように、プロテクタ２０とガイド部材６とは接続孔２２ｄに挿入されたボルト１１により固定されている。また、図示しないが、接続突起２２ｅはガイド部材６側の接続孔にはめ込まれて固定されている。なお、図７中の矢印Ｃは、車両１００に前方から衝撃荷重が加わったときのハーネス５の移動方向を示す。
【００４４】
次に、本実施形態の高電圧ハーネスの保護構造による作用及び効果を、図８及び図９を用いて説明する。
図８（ａ）は、車両が前方から衝撃荷重を受ける前のエンジンなどの配置を示す。車両１００が前方から衝撃荷重を受けると、図８（ｂ）、続いて図８（ｃ）のように、エンジン２の前壁面に取り付けられた電動コンプレッサ４に対してＰＣＵ３が相対的に後方へ移動する。このとき、ＰＣＵ３の接続部３ａは電動コンプレッサ４の接続部４ａよりも後方且つ上方に設けられているため、ＰＣＵ３の後方への変位に伴って、ハーネス５は、図４中の矢印Ａで示したプロテクタ２０の後方且つ上方へ移動する（伸長する）。
【００４５】
図９は、蓋部と本体との係合が解除された後のプロテクタの斜視図を示す図であり、図４に対応している。図８（ｃ）のようにハーネス５が大きく伸長すると、ハーネス５に大きい張力が加わり、その張力に応じた力がハーネス５からプロテクタ２０の蓋部２１ａに加わる。このとき、係合凸部２３ａが係合凹部２３ｂから抜けて蓋部２１ａが開くことにより、蓋部２１ａと本体２２との係合が解除される。このとき、蓋部２１ａは後方且つ上方へ傾斜しているため、ハーネス５の移動が妨害されることがない。
【００４６】
この係合の解除によりハーネス５に余長が生じるため、ハーネス５に加わる張力が緩和され、また、プロテクタ２０からの出口部分でハーネス５に加わる応力も緩和される。これにより、車両１００に前突などによる前方からの衝撃荷重が加わったときに、ハーネス５を損傷から保護することができる。
【００４７】
さらにこのとき、プロテクタ２０の経路規制は蓋部２１ａでのみ解除され、固定部２１ｂでは経路規制は残るため、ハーネス５が補機や他の部材の間に挟まれることによる損傷からも保護することができる。
【００４８】
以上、本発明の実施の形態について添付図面を参照しながら説明したが、本発明は、例示した実施の形態に限定されるものではなく、本発明の要旨を逸脱しない範囲において、種々の改良及び設計上の変更が可能であることは言うまでもない。
【００４９】
例として、本発明の実施の形態ではハイブリッドシステムを有する車両について説明したが、これに限定されることなく、本発明は、高電圧ハーネスがエンジンルームなどの車両空間に配設された車両にも広く適用可能である。
【産業上の利用可能性】
【００５０】
以上のように、本発明によれば、ハイブリッド車や電気自動車など、高電圧ハーネスが配設された車両に広く利用される可能性がある。
【符号の説明】
【００５１】
１    トランスアクスル
２    エンジン
３    パワーコントロールユニット（第１補機）
４    電動コンプレッサ（第２補機）
５    高電圧ハーネス
２０    プロテクタ（経路規制部材）
２１    蓋
２１ａ  蓋部
２２    本体（本体部）
２３    係合部
３０    エンジンルーム
【図１】
2014076744.tif 000003
【図２】
2014076744.tif 000004
【図３】
2014076744.tif 000005
【図４】
2014076744.tif 000006
【図５】
2014076744.tif 000007
【図６】
2014076744.tif 000008
【図７】
2014076744.tif 000009
【図８】
2014076744.tif 000010
【図９】
2014076744.tif 000011